(57)【要約】【課題】  長尺紙を適正に移動しながらその先端部を紙長手方向と直角に切断することができ、かつ所要長さで切断できるようにする。【解決手段】  巻きロールＲと印刷機３との間に、長尺紙Ｐに張力を付与する張力付与手段Ｋ１及び長尺紙Ｐの左右位置を矯正する位置矯正手段Ｋ２を有する張力調整機構Ｋと、長尺紙Ｐを紙長手方向と直角方向に切断するカッタ機構Ｃとを設ける。長尺紙Ｐを巻きロールＲからカッタ機構Ｃに送り出し、長尺紙Ｐの先端部をカッタ機構Ｃの紙移送手段Ｃ１でカッタ手段Ｃ２まで移送し、紙移送手段Ｃ１で長尺紙Ｐを停止させた状態でカッタ手段Ｃ２により長尺紙Ｐの先端部を紙長手方向と直角に切断し、この切断後に紙移送手段Ｃ１で長尺紙Ｐを印刷機３の給紙側に移送し、印刷機３の給紙手段３Ａが長尺紙Ｐの先端を検出して長尺紙Ｐを挟持搬送して印刷を開始する。【選択図】図１
2015110324.tif 000002
【特許請求の範囲】
【請求項１】
長尺紙（Ｐ）を巻きロール（Ｒ）からカッタ機構（Ｃ）に送り出し、長尺紙（Ｐ）の先端部をカッタ機構（Ｃ）の紙移送手段（Ｃ１）でカッタ手段（Ｃ２）まで移送し、紙移送手段（Ｃ１）で長尺紙（Ｐ）を停止させた状態でカッタ手段（Ｃ２）により長尺紙（Ｐ）の先端部を紙長手方向と直角に切断し、この切断後に紙移送手段（Ｃ１）で長尺紙（Ｐ）を印刷機（３）の給紙側に移送し、印刷機（３）の給紙手段（３Ａ）が長尺紙（Ｐ）の先端を検出して長尺紙（Ｐ）を挟持搬送して印刷を開始することを特徴とする長尺紙印刷方法。
【請求項２】
長尺紙（Ｐ）を巻きロール（Ｒ）からカッタ機構（Ｃ）に送り出す間に、張力調整機構（Ｋ）の張力付与手段（Ｋ１）と位置矯正手段（Ｋ２）とで長尺紙（Ｐ）に張力を付与しながら左右位置を矯正することを特徴とする請求項１に記載の長尺紙印刷方法。
【請求項３】
巻きロール（Ｒ）から送り出した長尺紙（Ｐ）を印刷機（３）に通し、印刷後の長尺紙（Ｐ）を巻き取りロール（４）で巻き取る長尺紙印刷機であって、
前記巻きロール（Ｒ）と印刷機（３）との間に、長尺紙（Ｐ）に張力を付与する張力付与手段（Ｋ１）及び長尺紙（Ｐ）の左右位置を矯正する位置矯正手段（Ｋ２）を有する張力調整機構（Ｋ）と、長尺紙（Ｐ）を紙長手方向と直角方向に切断するカッタ機構（Ｃ）とを設けていることを特徴とする長尺紙印刷機。
【請求項４】
前記カッタ機構（Ｃ）は、長尺紙（Ｐ）を挟持して移送及び停止をする紙移送手段（Ｃ１）と、この紙移送手段（Ｃ１）により挟持されて停止している状態の長尺紙（Ｐ）に紙移送方向と直交方向に切断刃（５）を移動して切断するカッタ手段（Ｃ２）とを有していることを特徴とする請求項３に記載の長尺紙印刷機。
【請求項５】
前記印刷機（３）は、長尺紙（Ｐ）を給紙側から排紙側へ挟持搬送する給紙手段（３Ａ）を有していることを特徴とする請求項３又は４に記載の長尺紙印刷機。
【請求項６】
前記カッタ手段（Ｃ２）は、固定の受け台（２４）と、この受け台（２４）との間で回転しながら移動して長尺紙（Ｐ）を切断する切断刃（５）とを有し、切断刃（５）はカセットケース（２８）に設けられており、このカセットケース（２８）は受け台（２４）の上面を開放可能にすべく受け台（２４）に対して上方退避自在に設けられていることを特徴とする請求項４に記載の長尺紙印刷機。
【請求項７】
前記位置矯正手段（Ｋ２）は、巻きロール（Ｒ）を軸芯方向移動可能に設け、巻きロール（Ｒ）の下流側で長尺紙（Ｐ）を案内するガイドローラ（４９）を設けかつこのガイドローラ（４９）を巻きロール（Ｒ）と一体に軸芯方向移動可能にし、ガイドローラ（４９）の下流側に長尺紙（Ｐ）の紙縁を検出する紙縁検出センサ（Ｓ）を配置し、この紙縁検出センサ（Ｓ）による長尺紙（Ｐ）の紙縁検出により巻きロール（Ｒ）及びガイドローラ（４９）を軸芯方向移動することを特徴とする請求項２〜６のいずれか１項に記載の長尺紙印刷機。
【発明の詳細な説明】
【技術分野】
【０００１】
本発明は、長尺紙を巻きロールから送り出して印刷する長尺紙印刷方法及び長尺紙印刷機に関する。
【背景技術】
【０００２】
長尺紙の連続印刷は、特許文献１に示されるように、長尺紙を巻きロールから送り出し、長尺紙を印刷機（インクジェットプリンタ）内に通して印刷し、印刷後の長尺紙を巻き取りロールで巻き取っている。
【先行技術文献】
【特許文献】
【０００３】
【特許文献１】特許第４３８８４９８号公報
【発明の概要】
【発明が解決しようとする課題】
【０００４】
前記従来技術は、巻きロールから印刷機までの間で、長尺紙の先端が紙長手方向に対して傾斜していても、それを矯正するのが困難であり、長尺紙を所要長さで切断することも困難になっている。
本発明は、このような従来技術の問題点を解決できるようにした長尺紙印刷方法及び長尺紙印刷機を提供することを目的とする。
【０００５】
本発明は、長尺紙を適正に移動しながらその先端部を紙長手方向と直角に切断することができ、かつ所要長さで切断できるようにした長尺紙印刷方法を提供することを目的とする。
本発明は、巻きロールと印刷機との間に張力調整機構とカッタ機構とを設けることにより、長尺紙を適正に移動しながらその先端部を紙長手方向と直角に切断することができ、かつ所要長さで切断できるようにした長尺紙印刷機を提供することを目的とする。
【課題を解決するための手段】
【０００６】
本発明における課題解決のための具体的手段は、次の通りである。
長尺紙印刷方法は第１に、長尺紙Ｐを巻きロールＲからカッタ機構Ｃに送り出し、長尺紙Ｐの先端部をカッタ機構Ｃの紙移送手段Ｃ１でカッタ手段Ｃ２まで移送し、紙移送手段Ｃ１で長尺紙Ｐを停止させた状態でカッタ手段Ｃ２により長尺紙Ｐの先端部を紙長手方向と直角に切断し、この切断後に紙移送手段Ｃ１で長尺紙Ｐを印刷機３の給紙側に移送し、印刷機３の給紙手段３Ａが長尺紙Ｐの先端を検出して長尺紙Ｐを挟持搬送して印刷を開始することを特徴とする。
【０００７】
長尺紙印刷方法は第２に、長尺紙Ｐを巻きロールＲからカッタ機構Ｃに送り出す間に、張力調整機構Ｋの張力付与手段Ｋ１と位置矯正手段Ｋ２とで長尺紙Ｐに張力を付与しながら左右位置を矯正することを特徴とする。
長尺紙印刷機は第１に、巻きロールＲから送り出した長尺紙Ｐを印刷機３に通し、印刷後の長尺紙Ｐを巻き取りロール４で巻き取る長尺紙印刷機であって、
前記巻きロールＲと印刷機３との間に、長尺紙Ｐに張力を付与する張力付与手段Ｋ１及び長尺紙Ｐの左右位置を矯正する位置矯正手段Ｋ２を有する張力調整機構Ｋと、長尺紙Ｐを紙長手方向と直角方向に切断するカッタ機構Ｃとを設けていることを特徴とする。
【０００８】
長尺紙印刷機は第２に、前記カッタ機構Ｃは、長尺紙Ｐを挟持して移送及び停止をする紙移送手段Ｃ１と、この紙移送手段Ｃ１により挟持されて停止している状態の長尺紙Ｐに紙移送方向と直交方向に切断刃５を移動して切断するカッタ手段Ｃ２とを有していることを特徴とする。
長尺紙印刷機は第３に、前記印刷機３は、長尺紙Ｐを給紙側から排紙側へ挟持搬送する給紙手段３Ａを有していることを特徴とする。
【０００９】
長尺紙印刷機は第４に、前記カッタ手段Ｃ２は、固定の受け台２４と、この受け台２４との間で回転しながら移動して長尺紙Ｐを切断する切断刃５とを有し、切断刃５はカセットケース２８に設けられており、このカセットケース２８は受け台２４の上面を開放可能
にすべく受け台２４に対して上方退避自在に設けられていることを特徴とする。
長尺紙印刷機は第５に、前記位置矯正手段Ｋ２は、巻きロールＲを軸芯方向移動可能に設け、巻きロールＲの下流側で長尺紙Ｐを案内するガイドローラ４９を設けかつこのガイドローラ４９を巻きロールＲと一体に軸芯方向移動可能にし、ガイドローラ４９の下流側に長尺紙Ｐの紙縁を検出する紙縁検出センサＳを配置し、この紙縁検出センサＳによる長尺紙Ｐの紙縁検出により巻きロールＲ及びガイドローラ４９を軸芯方向移動することを特徴とする。
【発明の効果】
【００１０】
本発明によれば、長尺紙を適正に移動しながらその先端部を紙長手方向と直角に切断することができ、かつ所要長さで切断できる。
即ち、請求項１に係る方法発明は、カッタ機構Ｃの紙移送手段Ｃ１で長尺紙Ｐを停止させた状態でカッタ手段Ｃ２により長尺紙Ｐの先端部を紙長手方向と直角に切断でき、また、印刷機３による印刷を停止すると、長尺紙Ｐを所要長さの位置で切断できる。
【００１１】
請求項２に係る方法発明は、張力調整機構Ｋの張力付与手段Ｋ１と位置矯正手段Ｋ２とで長尺紙Ｐに張力を付与しながら左右位置を矯正するので、長尺紙Ｐをカッタ機構Ｃに移動する前にカッタ手段Ｃ２に対する姿勢を矯正して正常な切断ができる。
請求項３に係る装置発明は、巻きロールＲと印刷機３との間に、長尺紙Ｐに張力を付与する張力付与手段Ｋ１及び長尺紙Ｐの左右位置を矯正する位置矯正手段Ｋ２を有する張力調整機構Ｋと、長尺紙Ｐを紙長手方向と直角方向に切断するカッタ機構Ｃとを設けているので、長尺紙Ｐに張力を付与しながら左右位置を矯正した姿勢で、長尺紙Ｐの先端部を紙長手方向と直角により正確に切断できる。
【００１２】
請求項４に係る装置発明は、カッタ機構Ｃは長尺紙Ｐを挟持して移送及び停止をする紙移送手段Ｃ１を有しているので、張力を付与して左右位置を矯正した長尺紙Ｐの先端部を停止した状態で、確実かつ正確に切断できる。
請求項５に係る装置発明は、印刷機３は長尺紙Ｐを給紙側から排紙側へ挟持搬送する給紙手段３Ａを有しているので、印刷開始後は印刷機３自身の給紙手段３Ａで長尺紙Ｐを給紙しながらタイミングよく印刷できる。
【００１３】
請求項６に係る装置発明は、切断刃５を有るカセットケース２８を受け台２４に対して上方退避できるので、切断刃５に妨害されることなく、カッタ手段Ｃ２へ長尺紙Ｐを容易に挿通することができる。
請求項７に係る装置発明は、紙縁検出センサＳで長尺紙Ｐの紙縁を検出して、巻きロールＲ及びガイドローラ４９を軸芯方向移動するので、長尺紙Ｐの左右位置矯正が正確かつ容易にできる。
【図面の簡単な説明】
【００１４】
【図１】本発明の第１実施形態を示す全体断面正面図である。
【図２】要部の断面正面図である。
【図３】要部の右側面図である。
【図４】本発明の第２実施形態を示す全体正面図である。
【図５】図４のＸ矢視図である。
【図６】図４のＹ矢視図である。
【図７】巻きロール、張力調整機構及びカッタ機構の正面図である。
【図８】巻取調整機構及び巻き取りロールの正面図である。
【図９】巻きロール及び張力調整機構の断面側面図である。
【図１０】位置矯正手段の平面図である。
【図１１】位置矯正手段の背面図である。
【図１２】位置矯正手段の紙縁検出器の平面図である。
【図１３】カッタ機構の断面正面図である。
【図１４】カッタ機構の側面図である。
【発明を実施するための形態】
【００１５】
以下、本発明の実施の形態を図面に基づいて説明する。
図１〜３に示す第１実施形態において、長尺紙印刷機１Ａは大別して、支持フレーム２上に紙移送方向順に、巻きロールＲ、張力調整機構Ｋ、カッタ機構Ｃ、印刷機３、巻取調整機構Ｍ及び巻き取りロール４を備えている。
長尺紙Ｐは、１層のみの紙材またはフィルムや、上紙、接着剤、剥離剤及び剥離原紙を順次積層したタック紙または粘着ラベルシール等であり、帯状に長く形成したものを筒芯に渦巻状に巻いたものであり、巻きロールＲの芯棒Ｒ１に嵌装しており、モータ駆動される芯棒Ｒ１の回転により巻き出される。
【００１６】
巻き取りロール４は巻きロールＲと同様な構造であり、芯棒４Ａに筒芯を嵌装しておいて、印刷後の長尺紙Ｐを、モータ駆動される芯棒４Ａの回転により巻き取る。
張力調整機構Ｋ及び巻取調整機構Ｍは略同様な構造であり、長尺紙Ｐの移動方向から見て、支持フレーム２に左右一対の支持台１０が立設され、この支持台１０の上部に梯子部材１１が左右軸１２を介して枢支され、梯子部材１１に左右一対の位置調整体１３が設けられている。
【００１７】
梯子部材１１は左右一対の横板１１Ａ間に上下複数本（４本）の横桟１１Ｂが架設され、左右軸１２にも回転ローラ１５が設けられ、これら複数本の横桟１１Ｂ及び回転ローラ１５に縫うように長尺紙Ｐが通されており、長尺紙Ｐの移動に抵抗を与えて張力を付与するようになっている。
前記梯子部材１１及び回転ローラ１５によって、長尺紙Ｐに張力を付与する張力付与手段Ｋ１が構成されている。
【００１８】
左右各位置調整体１３は梯子部材１１の複数本の横桟１１Ｂに移動自在に嵌合されており、止め具（ネジ）１６によって左右それぞれが左右方向に位置調整自在であり、長尺紙Ｐの左右縁と摺接して、長尺紙Ｐが蛇行移動するのを規制し、これにより左右位置を矯正し、長尺紙Ｐが紙長手方向に直線的に移動するように案内する。
前記梯子部材１１に設けた左右位置調整体１３によって位置矯正手段Ｋ２が構成されている。
【００１９】
前記カッタ機構Ｃは、支持フレーム２上に載置した機構フレーム１８に、入口側の紙移送手段Ｃ１と、出口側の紙ガイド１９と、中間のカッタ手段Ｃ２とを有している。
機構フレーム１８は左右側板１８Ａを帯板及び棒材等の連結材１８Ｂで連結しており、左右側板１８Ａにモータ駆動される駆動ローラ２０を支持し、この駆動ローラ２０の上方の連結材１８Ｂにニップローラ２１を取り付け、前記駆動ローラ２０とニップローラ２１とで長尺紙Ｐを挟持搬送する紙移送手段Ｃ１を構成している。
【００２０】
前記駆動ローラ２０は回転及び停止が自在になっており、ニップローラ２１はそれを支持している軸２２を左右エアーシリンダ２３で昇降自在にしており、軸２２を下降することにより、ニップローラ２１を駆動ローラ２０に押圧して、長尺紙Ｐを挟持しながら移動できるようになっている。
カッタ手段Ｃ２は、受け台２４と受けローラ２５とが機構フレーム１８の左右側板１８Ａに支持され、切断刃５と抑えローラ２７とは、機構フレーム１８に着脱自在に装着されたカセットケース２８側に設けられている。
【００２１】
カセットケース２８は上壁２８ａ、左右壁２８ｂ及び取っ手２８ｃ等を有し、左右壁２８ｂ間にエアーシリンダ３０を設け、このエアーシリンダ３０に切断刃５を回転自在に支持したカッタヘッド３１を摺動自在に嵌合している。
エアーシリンダ３０は右壁２８ｂに接続したエアーホースからの圧縮エアーによってピストンを復動させるものであり、ピストンには永久磁石が設けられ、シリンダチューブ外の磁石付きカッタヘッド３１を同期往復摺動させ、切断刃５を受け台２４に押圧させながら回転させ、切断刃５と受け台２４との間に挿入される長尺紙Ｐを切断する。
【００２２】
抑えローラ２７は受けローラ２５に当接可能であり、切断刃５で長尺紙Ｐを切断するときに長尺紙Ｐを抑える。
出口側の紙ガイド１９は、下ガイド板１９ａと上押さえ板１９ｂとを有し、長尺紙Ｐの先端を印刷機３の給紙手段３Ａへ案内する。
前記印刷機３は、電子写真方式プリンタ、インクジェットプリンタ、レーザプリンタ又
はその他のデジタルプリンタが使用され、印刷部３Ｂの前部に長尺紙Ｐを給紙側から排紙側へ挟持搬送する給紙手段３Ａが設けられ、後部に長尺紙Ｐを排紙側から排出する排紙手段３Ｃが設けられている。給紙手段３Ａ及び排紙手段３Ｃはそれぞれ、上下ローラ３ｄにより長尺紙Ｐを挟持搬送する構成になっている。
【００２３】
前記給紙手段３Ａには、給紙側で上下ローラ３ｄに長尺紙Ｐの先端が供給されたことを検出する給紙センサ３３を設けている。この給紙センサ３３にはフォトセンサ等が用いられ、長尺紙Ｐの検出により給紙手段３Ａの上下ローラ３ｄを駆動するとともに印刷部３Ｂも作動させる。
前記長尺紙印刷機１Ａによる印刷方法を説明する。
【００２４】
渦巻状に巻いた長尺紙Ｐを巻きロールＲにセットし、その先端を引き出して張力調整機構Ｋの張力付与手段Ｋ１の梯子部材１１及び回転ローラ１５に縫うように挿通し、また、長尺紙Ｐを位置矯正手段Ｋ２の左右位置調整体１３間に配置する。
長尺紙Ｐの先端をカッタ機構Ｃの紙移送手段Ｃ１の駆動ローラ２０とニップローラ２１との間に挿入し、ニップローラ２１を下降しかつ駆動ローラ２０を駆動して、長尺紙Ｐの先端をカッタ手段Ｃ２に挿通して紙ガイド１９近くまで移送させる。
【００２５】
長尺紙Ｐの先端部がカッタ手段Ｃ２を通過した状態で紙移送手段Ｃ１の駆動を一端停止し、ニップローラ２１で長尺紙Ｐを挟持した状態でカッタ手段Ｃ２を作動して、圧縮エアーでカッタヘッド３１を片道又は往復摺動させ、切断刃５で長尺紙Ｐの先端部を切断する。
長尺紙Ｐは位置矯正手段Ｋ２により左右位置が矯正され、左右縁は正確に移送方向に沿っているので、先端部の切断は左右縁の紙長手方向と正確に直交する。
【００２６】
先端部が直角に切断された長尺紙Ｐは、ロール１巻きの先端となり、紙移送手段Ｃ１の駆動ローラ２０を再駆動することにより印刷機３の給紙側に供給される。
印刷機３の給紙側には、給紙手段３Ａの上下ローラ３ｄと給紙センサ３３とが設けられていて、長尺紙Ｐの先端が供給されたことを給紙センサ３３が検出すると、上下ローラ３ｄが作動して長尺紙Ｐを印刷部３Ｂ内に引き入れ、印刷部３Ｂが作動して所要の印刷を開始する。
【００２７】
前記給紙手段３Ａによる長尺紙Ｐの印刷部３Ｂ内引き入れが開始されると、紙移送手段Ｃ１は作動が停止され、ニップローラ２１が駆動ローラ２０から上昇して、紙移送フリー状態になる。
排紙手段３Ｃにより印刷機３から排出された長尺紙Ｐは、巻取調整機構Ｍを通って巻き取りロール４に至り、巻き取りロール４で筒芯に巻き付けられる。
【００２８】
長尺紙Ｐの印刷長さが所要長さになると、印刷機３の給紙手段３Ａと排紙手段３Ｃの作動を停止し、紙移送手段Ｃ１のニップローラ２１を下降して駆動ローラ２０との間で長尺紙Ｐを挟持する。
この状態で長尺紙Ｐは紙移送手段Ｃ１により挟持され、不動となり、その姿勢でカッタヘッド３１を片道移動させて長尺紙Ｐの後端を切断し、同時に後続の長尺紙Ｐの先端を形成する。カッタヘッド３１は往復移動させて元位置に戻しておいてもよい。
【００２９】
図４〜１４は第２実施形態を示している。なお、第１実施形態と略同一機能の構成は同一符号で示している。
長尺紙印刷機１Ｂは大別して、収納ボックス２Ａを構成する支持フレーム２上に紙移送方向順に、巻出部Ｄと印刷部Ｅと巻取部Ｆとを有し、巻出部Ｄは巻きロールＲ（芯棒Ｒ１）と張力調整機構Ｋとカッタ機構Ｃとを有し、印刷部Ｅは給紙手段３Ａと印刷部３Ｂと排紙手段３Ｃとを有する印刷機３で構成され、巻取部Ｆは巻取調整機構Ｍと巻き取り用の巻き取りロール４（芯棒４Ａ）とを備えている。
【００３０】
図４、７、９〜１２において、巻出部Ｄは収納ボックス２Ａの右側後上部に巻出ボックス４１が載置固定され、この巻出ボックス４１の主壁４２に巻きロールＲの芯棒Ｒ１、張力調整機構Ｋ及びカッタ機構Ｃが前面突出状に支持されている。
図４、７の正面視において、巻出部Ｄは、主壁４２の前面の右上に巻きロールＲの芯棒Ｒ１が配置され、左側にカッタ機構Ｃが配置され、芯棒Ｒ１の下方に紙縁検出センサＳと
巻出手段Ｋ３とが配置され、巻出手段Ｋ３とカッタ機構Ｃとの間に張力付与手段Ｋ１が配置されており、それらの前面側は正面から長尺紙Ｐを挿通できるように自由端になっている。
【００３１】
芯棒Ｒ１は、図９〜１１に示すように、軸芯材４４にロール紙を嵌装するロール筒４５が回転自在に支持されている。軸芯材４４は一端が自由端であり、基部側は軸ホルダ４３に固定され、軸ホルダ４３は主壁４２を貫通して移動枠４６に装着されている。
主壁４２の内面側には、複数本のロッド４７ａを連結板４７ｂで連結したスライド支持枠４７が固定されており、このスライド支持枠４７の複数本のロッド４７ａに前記移動枠４６が芯棒Ｒ１の軸芯方向に移動自在に支持されており、移動枠４６と主壁４２との間には移動枠４６を移動する電動のアクチュエータ４８が設けられている。
【００３２】
前記移動枠４６の下部にはガイドローラ４９の軸芯材４９ａの基部が固定されている。このガイドローラ４９は巻きロールＲから繰り出される長尺紙Ｐを下流側で垂直下方へ案内しており、芯棒Ｒ１とともに軸方向位置調整ができる。
スライド支持枠４７の下部には近接センサ等の非接触型センサ５０が設けられている。この非接触型センサ５０はアクチュエータ４８の制御部と接続されており、移動枠４６に設けた作動片５１を検出して、アクチュエータ４８を作動して、移動枠４６の中央位置、即ち、軸芯材４４の中心合わせの初期位置を設定する。
【００３３】
ガイドローラ４９の直下には紙縁検出センサＳが前後方向（紙幅方向）位置調整可能に配置されている。この紙縁検出センサＳは主壁４２の前面に取り付けられており、巻きロールＲから繰り出される長尺紙Ｐの紙縁の位置を検出する。
紙縁検出センサＳは長尺紙Ｐの紙縁を挟む二股形状の超音波センサ、赤外線センサ等であり、アクチュエータ４８の制御部と接続されており、長尺紙Ｐの紙縁が印刷部Ｅで要求される適正位置から紙幅方向にずれると、それを検出して、検出信号でアクチュエータ４８の制御部を制御し、アクチュエータ４８を作動して移動枠４６を摺動させる。
【００３４】
前記芯棒Ｒ１、移動枠４６、スライド支持枠４７、ガイドローラ４９及び紙縁検出センサＳ等は位置矯正手段Ｋ２を構成しており、巻きロールＲから巻き出される長尺紙Ｐの紙縁位置を下流側で検出して、その紙縁位置が印刷部Ｅに対して適正でない場合に、巻きロールＲを長尺紙Ｐの紙幅方向に移動して矯正し、長尺紙Ｐを常に適正位置にしてカッタ機構Ｃ及び印刷部Ｅへ供給できるようにしている。
【００３５】
即ち、位置矯正手段Ｋ２は、長尺紙Ｐのロール及び芯棒Ｒ１を有する巻きロールＲとガイドローラ４９とをロール軸芯方向に移動して、長尺紙Ｐの紙幅方向の位置を矯正することにより、のりがはみ出ているような長尺紙Ｐの紙縁を摺接案内することなく、長尺紙Ｐをカッタ機構Ｃ及び印刷部Ｅの適正位置に供給するように案内することができ、蛇行の修正もできる。
【００３６】
図４、７において、紙縁検出センサＳの直下には巻出駆動ローラ５５とニップローラ５４とが配置されている。この巻出駆動ローラ５５とニップローラ５４とは主壁４２に対して回転自在に支持され、巻出駆動ローラ５５はモータ５６で駆動可能になっており、ガイドローラ４９に案内されて紙縁検出センサＳ内を通る長尺紙Ｐを引き下げながら、巻きロールＲから巻き出す。前記芯棒Ｒ１はモータ駆動しないので、巻出駆動ローラ５５及びモータ５６が長尺紙Ｐを巻き出す巻出手段Ｋ３を構成している。
【００３７】
前記駆動ローラ５５は回転及び停止が自在になっており、ニップローラ５４はエアーシリンダで駆動ローラ５５に押圧・後退移動自在にしており、ニップローラ５４を駆動ローラ５５に押圧して、長尺紙Ｐを挟持しながら移動できるようになっている。
張力付与手段Ｋ１は、張力ガイドローラ６０とダンサローラ６１とエアーシリンダ６２とを有する。ダンサローラ６１の第１揺動アーム６１ａは主壁４２及び支持台１０に枢支された支軸６３の一端に固定されており、この支軸６３の他端には第２揺動アーム６２ａが固定され、この第２揺動アーム６２ａの先端に略水平配置されたエアーシリンダ６２のピストンロッドが連結されている。
【００３８】
前記支持台１０は支持フレーム２上に取り付けられ、支軸６３は主壁４２に貫通して支持され、第２揺動アーム６２ａ及びエアーシリンダ６２は巻出ボックス４１内に配置され
ている。符号６４は、第２揺動アーム６２ａの揺動を規制して、ダンサローラ６１の上下動範囲を設定する張力範囲設定部材である。
前記ダンサローラ６１は、張力ガイドローラ６０と紙移送手段Ｃ１との間に位置し、長尺紙Ｐが巻き掛けられていて、エアーシリンダ６２により所要圧で下向きに付勢されており、長尺紙Ｐに所要圧の張力を付与している。
【００３９】
図４、７、１３、１４において、カッタ機構Ｃは、主壁４２の前面側に、入口側の紙移送手段Ｃ１と、マーク検出センサ６５と、カッタ手段Ｃ２と、出口側の紙ガイド１９とを有している。
紙移送手段Ｃ１は、主壁４２に駆動ローラ２０とニップローラ２１とを支持し、主壁４２の内面側に固定のモータ２０ａによって駆動ローラ２０を駆動する。ニップローラ２１は駆動ローラ２０の真上にはなく、長尺紙Ｐの移動上流側に傾斜配置されており、紙移送手段Ｃ１からカッタ手段Ｃ２への長尺紙Ｐの通し作業をやり易くしている。
【００４０】
前記紙移送手段Ｃ１は、巻出手段Ｋ３と同様に、駆動ローラ２０は回転及び停止が自在になっており、ニップローラ２１はエアーシリンダで押圧・後退移動自在にしており、ニップローラ２１を駆動ローラ２０に押圧して、長尺紙Ｐを挟持しながら移動できるようになっている。
マーク検出センサ６５は、長尺紙Ｐの先端に付けたマークを検出して、長尺紙Ｐの位置を検出する。
【００４１】
カッタ手段Ｃ２は、受け台２４が主壁４２の前面側に支持され、円形切断刃５と抑えローラ２７とは、カセットケース２８側に設けられている。
このカセットケース２８は、基部側が蝶番７０を介して主壁４２の前面に枢着され、前面側が締結具７１を介して受け台２４に取り付け可能になっている。長尺紙Ｐを挿通するときには、締結具７１を解除してカセットケース２８を上方へ持ち上げるように回動することにより、受け台２４に対して上方退避し、受け台２４の上面を開放できる。
【００４２】
カセットケース２８は内部にエアーシリンダ３０を有し、このエアーシリンダ３０に切断刃５と抑えローラ２７とを回転自在に支持したカッタヘッド３１を摺動（移動）自在に嵌合している。
エアーシリンダ３０は圧縮エアーによってピストンを復動させるものであり、ピストンには永久磁石が設けられ、シリンダチューブ外の磁石付きカッタヘッド３１を同期往復摺動させ、切断刃５を受け台２４に押圧させながら回転させ、切断刃５と受け台２４との間に挿入される長尺紙Ｐを切断する。このカッタ手段Ｃ２は、印刷開始前や印刷終了後に、紙移送手段Ｃ１で長尺紙Ｐを停止させた状態で、長尺紙Ｐの先端部を紙長手方向と直角に切断する。なお、抑えローラ及び受けローラは配置されていない。
【００４３】
出口側の紙ガイド１９は、下ガイド板１９ａと上押さえ板１９ｂとを有し、長尺紙Ｐの先端を印刷機３の給紙手段３Ａへ案内する。下ガイド板１９ａは主壁４２の前面側に固定されており、上押さえ板１９ｂは下ガイド板１９ａに対して着脱自在に装着されている。なお、上押さえ板１９ｂをカセットケース２８に装着して、一体回動可能にしておいてもよい。
【００４４】
図４において、印刷機３はデジタルプリンタであり、印刷部３Ｂの前部に長尺紙Ｐを挟持搬送する給紙手段３Ａが設けられ、中途部に印刷部３Ｂが設けられ、後部に長尺紙Ｐを排出する排紙手段３Ｃが設けられており、給紙手段３Ａ及び排紙手段３Ｃはそれぞれ、上下ローラ３ｄにより長尺紙Ｐを挟持搬送する構成になっている。
前記給紙手段３Ａには、長尺紙Ｐの先端が供給されたことを検出する給紙センサ３３が設けられている。
【００４５】
排紙手段３Ｃの上下ローラ３ｄは、長尺紙Ｐ上のトナーを加熱して定着させる定着器を兼ねている。この上下ローラ３ｄに代えて、図４仮想線で示すように、印刷機３の外面に定着器６６を設けることができる。この定着器６６は加熱定着用の上下ローラを駆動して、長尺紙Ｐを排出可能にする。
図４、６、８において、巻取部Ｆは収納ボックス２Ａの左側後上部に巻取ボックス７５が載置固定され、この巻取ボックス７５の前壁７６にブラケット７７を介して芯棒（巻取
軸）４Ａを支持し、前壁７６に巻取調整機構Ｍを前面突出状に支持している。
【００４６】
巻取部Ｆは、巻き取りロール４の芯棒４Ａに筒芯を嵌装し、印刷後の長尺紙Ｐの始端を筒芯に貼着しておいて、モータ４Ｂを間欠駆動して芯棒４Ａを回転させ、長尺紙Ｐを筒芯に巻き取って巻きロール紙を形成していく。
巻取調整機構Ｍは、２本の巻取ガイドローラ８０Ａ、８０Ｂと、その間のダンサローラ８１と、ダンサローラ８１に張力を付与するエアーシリンダ８２とを有する。
【００４７】
ダンサローラ８１の第１揺動アーム８１ａは支持台１０に枢支された支軸８３の一端に固定されており、この支軸８３の他端には第２揺動アーム８２ａが固定され、この第２揺動アーム８２ａの先端に縦向き配置されたエアーシリンダ８２のピストンロッドが連結されている。
前記支持台１０は支持フレーム２上に取り付けられ、支軸８３は支持台１０と前壁７６とに支持され、第２揺動アーム８２ａ及びエアーシリンダ８２は巻取ボックス７５内に配置されている。符号８４は、第２揺動アーム８２ａの揺動を規制して、ダンサローラ８１の上下動範囲を設定する張力範囲設定部材である。
【００４８】
前記巻取調整機構Ｍは、モータ４Ｂが間欠駆動であることにより、芯棒４Ａの回転が停止している間、エアーシリンダ８２によってダンサローラ８１を下向き移動させ、それによって印刷機３通過中の長尺紙Ｐに張力を付与し、モータ４Ｂを駆動して芯棒４Ａを回転するときに上昇して、印刷機３通過中の長尺紙Ｐの張力を一定に保つ。
このモータ４Ｂの間欠駆動及びダンサローラ８１の昇降動作により、巻き取りロール４の径が変化して周速が変わっても、張力を一定に保ちながら長尺紙Ｐの巻き取りが可能になり、しかも印刷機３通過中の長尺紙Ｐに芯棒４Ａの回転駆動による張力が影響しないようになっている。
【００４９】
なお、本発明は前記実施形態における各部材の形状及びそれぞれの前後・左右・上下の位置関係は、図１〜１４に示すように構成することが最良である。しかし、前記実施形態に限定されるものではなく、部材、構成を種々変形したり、組み合わせを変更したりすることもできる。
例えば、印刷機３は紙手差し可能なデジタルプリンタをそのまま流用してもよい。
【符号の説明】
【００５０】
１        長尺紙印刷機
３        印刷機
３Ａ      給紙手段
３Ｂ      印刷部
４        巻き取りロール
５        切断刃
１１      梯子部材
１３      位置調整体
２６      カッタ刃
３３      給紙センサ
Ｃ        カッタ機構
Ｃ１      紙移送手段
Ｃ２      カッタ手段
Ｋ        張力調整機構
Ｋ１      張力付与手段
Ｋ２      位置矯正手段
Ｍ        巻取調整機構
Ｐ        長尺紙
Ｒ        巻きロール
【図１】
2015110324.tif 000003
【図２】
2015110324.tif 000004
【図３】
2015110324.tif 000005
【図４】
2015110324.tif 000006
【図５】
2015110324.tif 000007
【図６】
2015110324.tif 000008
【図７】
2015110324.tif 000009
【図８】
2015110324.tif 000010
【図９】
2015110324.tif 000011
【図１０】
2015110324.tif 000012
【図１１】
2015110324.tif 000013
【図１２】
2015110324.tif 000014
【図１３】
2015110324.tif 000015
【図１４】
2015110324.tif 000016
【手続補正書】
【提出日】平成26年7月22日(2014.7.22)
【手続補正１】
【補正対象書類名】特許請求の範囲
【補正対象項目名】請求項７
【補正方法】変更
【補正の内容】
【請求項７】
前記位置矯正手段（Ｋ２）は、巻きロール（Ｒ）を軸芯方向移動可能に設け、巻きロール（Ｒ）の下流側で長尺紙（Ｐ）を案内するガイドローラ（４９）を設けかつこのガイドローラ（４９）を巻きロール（Ｒ）と一体に軸芯方向移動可能にし、ガイドローラ（４９）の下流側に長尺紙（Ｐ）の紙縁を検出する紙縁検出センサ（Ｓ）を配置し、この紙縁検出センサ（Ｓ）による長尺紙（Ｐ）の紙縁検出により巻きロール（Ｒ）及びガイドローラ（４９）を軸芯方向移動することを特徴とする請求項３〜６のいずれか１項に記載の長尺紙印刷機。